(57)【特許請求の範囲】
【請求項１】
容器体口頚部６上面に周縁部下面を当接載置させた頂板７裏面より口頚部内周に密嵌するシール筒８を垂設させるとともに、頂板中央に基端を開口した注出筒部９を立設し、且つ、注出筒部中央に周囲からの液の流出が可能に支持した棒栓10の上端を注出筒部上方へ突出してなる中栓部材３と、口頚部６外周に嵌合させた周壁13上端縁より頂板７上にフランジ14を延設するとともに、フランジ内周縁より立設した注出ノズル15の下部を注出筒部９外周に液密摺動可能な状態で嵌合させ、且つ、先端注出口16を棒栓10先端で閉塞させてなるノズル部材４とを備え、ノズル部材周壁13外周下端部に破断部20を介して上部内周を連結した大径の係止筒部21を一体に延設するとともに、該筒部内面下部に突周設した係合突条22を口頚部６外周下部に突周設した係止突条23下面に乗り越え係合させ、注出ノズル15周囲のフランジ14に、上面から把手25を立設するとともに、一部を切り欠いた環状の剥ぎ取り帯部26を設けてなることを特徴とする注出栓。
【発明の詳細な説明】
【０００１】
【発明の属する技術分野】
本発明は注出栓に関する。
【０００２】
【従来の技術】
注出栓として、容器体の口頚部の外周に周壁を嵌合させて装着するとともに、頂壁中央より注出筒を立設したキャップ本体と、該本体の注出筒外周に周壁を上下動可能に嵌合させた注出ノズルとを備えたものが知られている。
【０００３】
これらは不使用時には注出筒中央に支持させた棒栓先端を注出ノズル頂壁中央の注出口に液密に嵌合させており、使用の際は、注出ノズルを引き上げることにより注出口から棒栓が外れて液の注出可能状態となり、使用後は再び注出ノズルを押し下げて注出口を棒栓により閉塞させておく如く構成している。
【０００４】
従来のこの種のキャップは、上記した如く注出ノズルを上下動させるという簡単な操作により液の注出可能な状態と注出口の閉塞状態との切り替えを行えて取り扱いが極めて便利であるが、自由に注出ノズルを可動させることが出来ることで陳列時等の悪戯を行い易く、また、商品の信頼感を損なう虞があり、その為従来はキャップ部分或いは容器全体をシュリンク包装することによりこれらの不都合を解消している。
【０００５】
【発明が解決しようとする課題】
しかしながら、シュリンク包装はそのための設備を必要とし、また、包装用の別材料も必要となり、設備，コストの面での問題があった。
本発明はこの様な点に鑑みなされたもので、シュリンク包装等の特殊包装を必要とせずに陳列時等の悪戯を防止でき、しかも、開封操作、液注出時の取り扱い操作も簡単な優れた注出栓を提案するものである。
【０００６】
【課題を解決するための手段】
本発明注出栓は上記課題を解決するため、容器体口頚部６上面に周縁部下面を当接載置させた頂板７裏面より口頚部内周に密嵌するシール筒８を垂設させるとともに、頂板中央に基端を開口した注出筒部９を立設し、且つ、注出筒部中央に周囲からの液の流出が可能に支持した棒栓10の上端を注出筒部上方へ突出してなる中栓部材３と、口頚部６外周に嵌合させた周壁13上端縁より頂板７上にフランジ14を延設するとともに、フランジ内周縁より立設した注出ノズル15の下部を注出筒部９外周に液密摺動可能な状態で嵌合させ、且つ、先端注出口16を棒栓10先端で閉塞させてなるノズル部材４とを備え、ノズル部材周壁13外周下端部に破断部20を介して上部内周を連結した大径の係止筒部21を一体に延設するとともに、該筒部内面下部に突周設した係合突条22を口頚部６外周下部に突周設した係止突条23下面に乗り越え係合させ、注出ノズル15周囲のフランジ14に、上面から把手25を立設するとともに、一部を切り欠いた環状の剥ぎ取り帯部26を設けてなることを特徴とする注出栓として構成した。
【０００７】
【発明の実施の形態】
以下、本発明の実施例の形態を図面を参照して説明する。
本発明の注出栓１は、容器体２に装着するもので、中栓部材３と、ノズル部材４とを備えている。
【０００８】
装着する容器体２は合成樹脂等により形成され、図示例の如く、筒状の胴部５上端より口頚部６を起立して構成したものが使用でき、胴部５は圧搾可能とすることも出来る。
【０００９】
中栓部材３は、容器体口頚部６上面に周縁部下面を当接載置させた頂板７裏面より口頚部内周に密嵌するシール筒８を垂設するとともに、頂板中央に基端を開口した注出筒部９を立設し、また、注出筒部中央に周囲からの液の流出が可能に支持するとともに、上端を注出筒部９上方へ突出した棒栓10を設けている。
【００１０】
図示例では、頂板７中央に下端を開口した円筒状の注出筒部９内周上端部に、周方向複数の連結片11を介して棒栓10の外周下部を連結しており、各連結片11の隙間から上方へ液の流出が可能に構成している。また、棒栓10は、上端を閉塞した下端開口の円筒状に形成し、その上端面中央には、ノズル部材４の後述する注出口に嵌合させる嵌合凸部12を突設している。
【００１１】
ノズル部材４は、口頚部外周に嵌合させた周壁13上端縁より頂板７上にフランジ14を延設するとともに、フランジ内周縁より立設した注出ノズル15の下部を注出筒部９外周に液密摺動可能な状態で嵌合させ、また、先端注出口16を棒栓10先端で液密に閉塞させている。
【００１２】
図示例では、周壁13を口頚部６外周に螺着させ、また、注出筒部外周上端部に摺動突条17を突周設し、この突条外周面がその奥面に当接摺動する縦長幅広の帯状凹部18を、注出ノズル15内周面下部に周設して、後述剥ぎ取り帯部を剥ぎ取った際に、この摺動突条17が帯状凹部18の下向き面に当接した状態から帯状凹部18の上向き面に当接するまでの間の上下動が可能に構成している。この際、注出口16は棒栓10の嵌合凸部12が嵌合して密封された状態から、嵌合凸部12が外れて、図３に示す如く、液の注出が可能な状態へと変化する。本実施例では注出ノズル15の外周上端部に指掛け用突条19を突周設している。
【００１３】
また、ノズル部材４は、周壁13外周下端部に破断部20を介して上部内周を連結した大径の係止筒部21を一体に延設するとともに、該筒部内面下部に突周設した係合突条22を、口頚部６外周下部に突設した係止突条23下面に乗り越え係合させている。この様に構成することにより、一旦係合した係止筒部21を外そうとすれば、破断部20が切断して、開封したことが明らかとなる如く構成している。
【００１４】
図示例では、周壁13外周下端部と、係止筒部21内周上端部とを、周方向間隔をあけて複数の細棒状をなす連結片24により連結することにより破断部20を構成しているが、破断部20の形態はこれに限らず、周壁13外周下端部と係止筒部21内周上端部とを薄肉の連結壁で一体に連結してもよく、或いはその部分にミシン目を施す形態であっても良い。
【００１５】
また、このノズル部材４は、注出ノズル15周囲のフランジ14に、上面より把手25を立設するとともに、一部を切り欠いた環状の剥ぎ取り帯部26を設けており、剥ぎ取り帯部26の切断除去により注出ノズル15がフランジ14と分離して上方へ移行可能となり、注出口16の閉塞が解除される如く構成している。従って、この剥ぎ取り帯部26を切断除去しない限り注出ノズルからの液の注出ができない様に構成している。
【００１６】
図示例では、後部の一部に円弧帯状の切欠き部27を有する円形の剥ぎ取り帯部26を設け、その上面から棒状の把手25を立設している。剥ぎ取り帯部26の両側は薄肉の破断部28により容易に破断可能に構成している。この破断部28は、上記した係止筒部21の破断部と同様、ミシン目や連結片の形態をとることも可能である。把手25は、図示例の如く切欠き部27と接する部分の端部の剥ぎ取り帯部26上面に立設すると剥ぎ取り帯部26の切断除去が行い易い。
【００１７】
尚、上記中栓部材３及びノズル部材４を容器体２に装着する際には、種々の方法を採用でき、例えば、中栓部材をノズル部材に嵌着固定後、容器体に装着しても良く、或いは中栓部材３及びノズル部材４を順次容器体に装着しても良い。また、ノズル部材４には、その上面を被覆してキャップ29を着脱自在に装着しても良く、図示例では、ノズル部材４の周壁13外周上端部に周設した嵌合凹部に下端を嵌着させて着脱自在にキャップ29を装着している。
【００１８】
上記注出栓１を使用する場合には、例えば、図１の状態から、把手25を掴んで剥ぎ取り帯部26を取り除いた後、注出ノズル15を上方に引き上げれば液の注出が可能となる。使用後は、注出ノズル15を押し下げて再び元の注出口16閉塞状態に戻せばよい。
【００１９】
図４乃至図６は、上記実施例の棒状の把手25に代えて、剥ぎ取り帯部26上面両端よりそれぞ立設した棒状部25a ，25a 上端間を、剥ぎ取り帯部26に沿う円弧状部25b で連結した把手25を設けた例を示している。また、本実施例では、上記指掛け用突条19を設ける代わりに注出ノズル15の外周上部に凹凸面30を形成し、注出ノズル15の上下動を容易に行える如く構成している。その他の構成は図１の実施例と同様であるため、同符号を付して説明を省略する。
尚、上記各部材は合成樹脂により形成することができる。
【００２０】
【発明の効果】
以上説明した如く、本発明注出栓は、既述構成としたことにより、特に、ノズル部材周壁13外周下端部に破断部20を介して上部内周を連結した大径の係止筒部21を一体に延設するとともに、該筒部内面下部に突周設した係合突条22を口頚部６外周下部に突周設した係止突条23下面に乗り越え係合させたので、一旦装着したノズル部材の周壁部分は外さない様に構成していることを考慮すれば、悪戯等により無理にノズル部材を外そうとした際に破断部が破断して開封後の状態であることが一目瞭然となる。しかも、注出ノズル15周囲のフランジ14に、上面から把手25を立設するとともに、一部を切り欠いた環状の剥ぎ取り帯部26を設けており、この剥ぎ取り帯部26を切断除去しない限り注出ノズルからの液の注出ができないため、シュリンク包装等を施さなくても容器の未使用が一見して判別できる。
【００２１】
また、その構造も簡単で、例えば、中栓部材及びノズル部材を順次容器体上方より嵌着固定すればよいため組み付けも容易で且つ安価な製造を行えるものである。
【００２２】
また、使用時には、把手を掴んで剥ぎ取り帯部を切断除去するという簡単な操作で開封することができ、注出ノズルを上方に引き上げることにより簡単に液の注出が可能となり、また、使用後は注出ノズルを押し下げておけば良く、取り扱い操作も極めて簡単である。
【図面の簡単な説明】
【図１】本発明の一実施例を示す半断面図である。
【図２】同実施例の斜視図である。
【図３】同実施例の剥ぎ取り帯部を切断除去した状態の分解斜視図である。
【図４】本発明の他の実施例を示す半断面図である。
【図５】同実施例の斜視図である。
【図６】同実施例の剥ぎ取り帯部を切断除去した状態の分解斜視図である。
【符号の説明】
２…容器体，３…中栓部材，４…ノズル部材，６…口頚部，７…頂板，
８…シール筒，９…注出筒部，10…棒栓，13…ノズル部材周壁，
14…フランジ，15…注出ノズル，16…注出口，20…破断部，21…係止筒部，
22…係合突条，23…係止突条，25…把手，26…剥ぎ取り帯部
【図１】
0003805537.tif 000002
【図２】
0003805537.tif 000003
【図３】
0003805537.tif 000004
【図４】
0003805537.tif 000005
【図５】
0003805537.tif 000006
【図６】
0003805537.tif 000007